(57)【要約】【課題】容器内に充填された揮散性物質を含む保持媒体自体の流出を防止でき、保持媒体に含まれる芳香剤、消臭剤等の揮散性物質を効率よく揮散させて大気中に放出させ、芳香の付与、消臭等の機能を長く維持することができ、しかも装飾性に優れた揮散性物質放出器を提供する。【解決手段】揮散性物質放出器１は、揮散性物質を保持する形状保持性透明ゼラチン水性ゲル成形体からなる保持媒体２が透明な容器３に内に充填され、容器３の開口部１１側から容器３の内壁に至らない深さで凹部４が保持媒体２に形成され、容器３の開口部１１はシール部材１２で密封され、通気部材１３が容器３の開口部１１に取り付けられており、シール部材１２を剥がして使用する。【選択図】図１
2006239000.tif 000002
【特許請求の範囲】
【請求項１】
開口部を有する透明な容器と、
揮散性物質を保持する形状保持性透明ゼラチン水性ゲル成形体からなり、前記容器内に充填された保持媒体と、
容器の開口部側から容器内壁に至らない深さで、保持媒体に形成された凹部と、
容器の開口部を密封するシール部材と
を備えていることを特徴とする揮散性物質放出器。
【請求項２】
保持媒体が、ゼラチン、架橋剤および揮発成分を含む水性ゾルの反応物であって、ゼリー強度１５以上の形状保持性透明ゼラチン水性ゲル成形体からなる請求項１記載の揮散性物質放出器。
【請求項３】
保持媒体が、無色透明ゼラチン水性ゲルの凹部側に、着色透明ゼラチン水性ゲルが積層された形状保持性ゼラチン水性ゲル成形体からなる請求項１または２記載の揮散性物質放出器。
【請求項４】
凹部が複数の異なる面が組み合わされた多表面凹部からなる請求項１ないし３のいずれかに記載の揮散性物質放出器。
【請求項５】
容器の開口部が容器の最大径部より小径とされている請求項１ないし４のいずれかに記載の揮散性物質放出器。
【請求項６】
通気孔を有し、容器の開口部を下にした状態で容器を支持する通気部材を備えている請求項１ないし５のいずれかに記載の揮散性物質放出器。
【請求項７】
通気孔を有し、容器の開口部を上にした状態で容器の開口部を覆う通気部材を備えている請求項１ないし５のいずれかに記載の揮散性物質放出器。
【発明の詳細な説明】
【技術分野】
【０００１】
本発明は、揮散性物質を徐々に放出するための揮散性物質放出器に関するものである。
【背景技術】
【０００２】
芳香剤、消臭剤、抗菌剤等の揮散性物質を含む液体または流動性ゲル状の保持媒体を容器内に収容し、容器を部分的に開口させて、液体または流動性ゲル状物に含まれる揮散性物質を徐々に放出するようにした揮散性物質放出器がトイレット用等に使用されている。
【０００３】
図４は特許文献１に示された従来の揮散性物質放出器を示し、（ａ）は使用前、（ｂ）は使用中の状態を示す断面図である。
図４において、揮散性物質放出器１は、揮散性物質を含む液体または流動性ゲル状の保持媒体２を収容する容器３と、容器３の開口部１１を密封するシール部材１２と、容器３の開口部１１を下にした状態で支持する通気部材１３と、容器３の開口部１１から流出する保持媒体２を受けて貯留し、揮散性物質を大気中に揮散させて放出する貯留揮散部１４とを備えている。
【０００４】
シール部材１２は、外部から引き剥がし可能な引張り部１２ａを有する。通気部材１３は貯留揮散部１４から上に伸びるように一体化し、その上端部は容器３の受部１５と係合して容器３を支持している。貯留揮散部１４は、保持媒体２を貯留する貯留部１６の上方に、揮散性物質を揮散させる通気孔１７を有する。容器３は首部３ａに開口部１１が形成されており、その開口部１１は貯留揮散部１４の貯留部１６の上縁より下に開口している。シール部材１２の引張り部１２ａは通気孔１７を通して外部に伸びている。
【０００５】
上記の揮散性物質放出器１は、使用前の状態では、揮散性物質を含む液体または流動性ゲル状の保持媒体２を収容する容器３が、開口部１１をシール部材１２で密封されている。容器３は使用前の状態では、開口部１１を上向きにしていてもよいが、開口部１１を下にした状態で通気部材１３に支持され、この状態でシール部材１２は通気孔１７を通して外部に伸び、外部から引き剥がし可能とされている。
【０００６】
上記の揮散性物質放出器１を使用する場合は、容器３の開口部１１を下にして通気部材１３に支持した状態でシール部材１２を引き剥がすことにより、容器３の開口部１１から流出する保持媒体２を貯留揮散部１４に受けて貯留し、揮散性物質を貯留揮散部１４の通気孔１７から大気中に揮散させて放出し、芳香の付与、消臭等を行う。容器３の開口部１１が貯留揮散部１４の貯留部１６の上縁より下に開口していると、容器３内の保持媒体２の流出は停止し、貯留揮散部１４に貯留される保持媒体２の液面は一定に維持される。
【０００７】
しかしながら、このような従来の揮散性物質放出器１においては、揮散性物質を含む保持媒体２は液体または流動性ゲル状であるため、放出器１が転倒した場合には、貯留部揮散部１４に貯留される保持媒体２は通気孔１７から流出するおそれがある。また容器３および貯留部１６内には、保持媒体２が充填されているだけであるため、容器３および貯留揮散部１４を透明にしても、装飾性は必ずしも高いとはいえない。
【特許文献１】特開２００４−２９０２１６号
【発明の開示】
【発明が解決しようとする課題】
【０００８】
本発明の課題は、容器内に充填された揮散性物質を含む保持媒体自体の流出を防止でき、保持媒体に含まれる芳香剤、消臭剤等の揮散性物質を効率よく揮散させて大気中に放出させ、芳香の付与、消臭等の機能を長く維持することができ、しかも装飾性に優れた揮散性物質放出器を提供することである。
【課題を解決するための手段】
【０００９】
本発明は次の揮散性物質放出器である。
（１）  開口部を有する透明な容器と、
揮散性物質を保持する形状保持性透明ゼラチン水性ゲル成形体からなり、前記容器内に充填された保持媒体と、
容器の開口部側から容器内壁に至らない深さで、保持媒体に形成された凹部と、
容器の開口部を密封するシール部材と
を備えていることを特徴とする揮散性物質放出器。
（２）  保持媒体が、ゼラチン、架橋剤および揮発成分を含む水性ゾルの反応物であって、ゼリー強度１５以上の形状保持性透明ゼラチン水性ゲル成形体からなる上記（１）記載の揮散性物質放出器。
（３）  保持媒体が、無色透明ゼラチン水性ゲルの凹部側に、着色透明ゼラチン水性ゲルが積層された形状保持性ゼラチン水性ゲル成形体からなる上記（１）または（２）記載の揮散性物質放出器。
（４）  凹部が複数の異なる面が組み合わされた多表面凹部からなる上記（１）ないし（３）のいずれかに記載の揮散性物質放出器。
（５）  容器の開口部が容器の最大径部より小径とされている上記（１）ないし（４）のいずれかに記載の揮散性物質放出器。
（６）  通気孔を有し、容器の開口部を下にした状態で容器を支持する通気部材を備えている上記（１）ないし（５）のいずれかに記載の揮散性物質放出器。
（７）    通気孔を有し、容器の開口部を上にした状態で容器の開口部を覆う通気部材を備えている上記（１）ないし（５）のいずれかに記載の揮散性物質放出器。
【００１０】
本発明において、揮散性物質を保持する保持媒体を充填する容器は、開口部を有する透明な容器であり、硬質透明プラスチック、ガラス等の形状保持性を有する透明材料から、開口部を有する容器状に形成される。透明材料は、外部から透視できる程度の透明性を有し、無色または着色透明のいずれでもよい。容器は開口部側およびその反対側を底部として自立できる構造のものが好ましい。容器は、開口部が容器の最大径部より小径とされているのが好ましく、これにより開口部側を底部として自立させて使用したときに、保持媒体の保持性を高めることができる。
【００１１】
本発明において、保持媒体に保持される揮散性物質は、保持媒体から揮散により大気中に放出される物質であり、揮散性の芳香剤、香料、消臭剤、防虫成分、薬剤成分などが挙げられる。これらの揮発成分は、水溶性でも油溶性でもよいが、保持媒体であるゼラチン水性ゲル中に均一に溶解ないし分散して透明なゲル成形体を形成し、容易にゲルの表面に浸透して揮散するものが好ましい。
【００１２】
このような揮散性物質を保持する保持媒体は、形状保持性透明ゼラチン水性ゲル成形体からなる。保持媒体としての形状保持性透明ゼラチン水性ゲル成形体は、形状保持性透明架橋ゼラチン水性ゲル成形体が好ましく、特にゼラチン、架橋剤および揮発成分を含む水性ゾルの反応物であって、ゼリー強度１５以上の透明ゼラチン水性ゲル成形体が好ましい。このようなゼラチン水性ゲル成形体は、水分が分離せず、形状保持性に優れ、大表面形状に形成しても、形状を保持することが可能である。
【００１３】
このような揮散性物質を保持する形状保持性透明ゼラチン水性ゲル成形体からなる保持媒体は、透明な容器に開口部側から隙間なく充填されて、容器の内壁に密着した構造を有するが、開口部側には隙間が生じていてもよい。このように充填された保持媒体には、容器の開口部側から容器内壁に至らない深さで、凹部が形成され、これにより大表面形状に形成され、大気との接触面積が大きくなる。凹部は、複数の異なる面が組み合わされた多表面凹部からなるのが好ましく、これにより大気との接触面積を大きくして、揮散性物質の揮散効率を高くできるとともに、光の反射面を多くして、反射光の組合わせにより装飾性を高めることができる。
【００１４】
このような揮散性物質を保持する形状保持性透明ゼラチン水性ゲル成形体からなる保持媒体は、外部から透視できる程度の透明性を有し、無色または着色透明のいずれでもよい。保持媒体は、無色透明ゼラチン水性ゲルの凹部側に、着色透明ゼラチン水性ゲルが積層された形状保持性ゼラチン水性ゲル成形体からなるのが好ましく、これにより透明な容器に充填された保持媒体は、外部から透視する際、見る角度により透明または着色透明の変化が見られ、装飾性を高めることができる。
【００１５】
上記の保持媒体は、ゼラチン、架橋剤および揮発成分を含む水性ゾルを透明な容器に入れ、水性ゾル中に凹部形成用の成形型を開口部側から挿入した状態で反応させることにより、透明な容器に開口部側から隙間なく充填されて、容器の内壁に密着した構造を有し、開口部側に凹部が形成されたゼリー強度１５以上の形状保持性透明ゼラチン水性ゲル成形体が形成される。反応終了後、成形型を開口部側から抜き取り、容器の開口部をシール部材で密封することにより、揮散性物質放出器が得られる。通気部材を備える場合は、通気孔を有し、容器の開口部を下にした状態で支持する通気部材、または容器の開口部を上にした状態で容器の開口部を覆う通気部材を、容器の開口部に取り付けた状態で製品としてもよく、また取り付けない状態で製品としてもよい。
【００１６】
本発明で用いる形状保持性ゼラチン水性ゲルは、分子量１００，０００以上、５００，０００未満の高分子量ゼラチン１．５〜５重量％、好ましくは２〜４重量％、分子量３，０００以上、１０，０００未満の低分子量ゼラチン０．０５〜０．５重量％、好ましくは０．１〜０．４重量％、架橋剤０．１〜１重量％、好ましくは０．４〜０．８重量％、および揮発成分０．５〜１０重量％、好ましくは１〜８重量％を含む水性ゾルの反応物からなるゼラチン水性ゲルが好ましい。上記の水性ゾルは、分子量１０，０００以上、１００，０００未満の中分子量ゼラチン０．１〜５重量％、好ましくは０．２〜４重量％を含むものが好ましい。
【００１７】
ゼラチンはニカワとして接着剤に用いられることから分かるように、接着性に優れるため、複雑な形状に成形すると離型が困難であるが、さらに分子量３，０００以上、１０，０００未満の低分子量ゼラチンを含むゼラチン混合物を用いると、離型性がよくなり、複雑な形状の凹部形成用の成形型を用いる場合でも、ゲル成形体を傷つけることなく容易に型抜きを行うことができ、複雑な形状の凹部を形成することができる。このゲル成形体を、容器の開口部を下にした状態で使用する場合でも、ゲル成形体の自重だけではゲル成形体が開口部から流出することはなく、容器内に保持することができ、特に開口部が容器の最大径部より小径とされているのが好ましく、これにより開口部側を底部として自立させて使用したときに、保持媒体の保持性を高めることができる。
【００１８】
ゼラチンの分子量は、変性の条件、例えば変性に用いる薬剤および助剤の種類、濃度、温度、時間等により変わるので、変性の条件を選ぶことにより、目的とする分子量のゼラチンを得ることができる。ゼラチンの平均分子量は、パギイ法第９版（２００２）により分子量分布を測定して求めることができる。また形状保持性の指標となるゲルの強度は、ＪＩＳ  Ｋ  ６５０３のゼリー強度として測定することができる。
【００１９】
架橋剤としては、ゼラチンの官能基と反応して架橋できるものであればよいが、エチレン性不飽和化合物−無水マレイン酸共重合体、その開環重合体またはその塩が好ましい。エチレン性不飽和化合物としては、エチレン、プロピレン、ブテン−１，ブテン−２、イソブチレン等のオレフィン類、その他のエチレン性不飽和基を有する化合物が挙げられる。開環重合体はエチレン性不飽和化合物−無水マレイン酸共重合体に加水して開環した重合体、その塩は開環重合体のアンモニウム塩、ナトリウム塩等の塩である。塩は上記酸共重合体または開環重合体と水酸化アンモニウム、または水酸化ナトリウム塩等を反応させて形成することができる。
【００２０】
エチレン性不飽和化合物−無水マレイン酸共重合体はこれらのエチレン性不飽和化合物と無水マレイン酸との共重合体であり、エチレン性不飽和化合物と無水マレイン酸とのモル比は１０：１〜１：１０、好ましくは５：１〜１：５、平均分子量は、通常２，０００〜５，０００，０００であり、好ましくは３，０００〜３，０００，０００である。このようなエチレン性不飽和化合物−無水マレイン酸共重合体としては市販品が用いられる。その開環重合体、アンモニウム塩、ナトリウム塩等の塩における開環または塩に変換する割合は任意であるが、無水環の全部を変換するのが好ましい。
【００２１】
上記の形状保持性ゼラチン水性ゲルは、これらのゼラチン、架橋剤および揮発成分を含む水性ゾルの反応物であって、ゼラチンと架橋剤とは揮発成分、水性溶媒、および必要により加えられる他の成分を抱き込むように反応して架橋し、水性ゲルを形成した反応物からなる形状保持性透明架橋ゼラチン水性ゲル成形体である。このような形状保持性ゼラチン水性ゲルは、上記水性ゾルを２０〜７０℃、好ましくは室温〜６０℃で反応させることにより、製造することができる。こうして形成される形状保持性ゼラチン水性ゲルは、揮発成分、水性溶媒、および必要により加えられる他の成分を抱き込んだ状態でゼラチンが架橋した水性ゲルであり、ゲル形成剤の濃度が低い場合でも、形状保持性に優れる成形体を形成することができる。
【００２２】
本発明の形状保持性ゼラチン水性ゲルの好ましい製造方法は、高分子量ゼラチン１．５〜５重量％、好ましくは２〜４重量％、中分子量ゼラチン０．１〜５重量％、好ましくは０．２〜４重量％、低分子量ゼラチン０．０５〜０．５重量％、好ましくは０．１〜０．４重量％、架橋剤０．１〜１重量％、好ましくは０．４〜０．８重量％、および揮発成分０．５〜１０重量％、好ましくは１〜８重量％、および必要により加えられる他の成分０〜２０重量％、好ましくは０．５〜１０重量％、残部水の水性ゾルを反応させてゲル化させることにより、形状保持性ゼラチン水性ゲル成形体として製造することができる。
【００２３】
こうして製造される本発明の形状保持性ゼラチン水性ゲルは、ゼラチン濃度の低い場合でもゲル強度が高く、空洞を有する成形体のように表面積の大きい複雑な形状に成形しても、常温または高温の未使用の状態あるいは使用状態で、長期にわたって形状を保持することが可能な高い形状保持性を有し、水分が分離せず、揮発成分の揮散性が高く、かつ透明で装飾性が高い形状保持性ゼラチン水性ゲルが得られる。ゼラチン水性ゲルのゼリー強度は１５以上、好ましくは２０以上である。
【００２４】
本発明の揮散性物質放出器は、使用前の状態では、揮散性物質を含むゲル状の保持媒体を収容する容器が、開口部をシール部材で密封されている。容器は使用前の状態では、開口部を上にした状態でも、開口部を下にした状態でもよい。通気部材を備える場合は、通気部材は容器の開口部に取り付けた状態でも、取り付けない状態でもよく、任意の状態で製品とすることができる。揮散性物質放出器を使用する場合は、容器の開口部を下にした状態で使用する方が反射光による装飾性が高いが、容器の開口部を上にした状態で使用することもできる。
【００２５】
上記の揮散性物質放出器を使用する場合は、容器からシール部材を引き剥がし、容器の開口部を下にした状態、または容器の開口部を上にした状態で使用する。通気部材を備える場合は、容器からシール部材を引き剥がし、容器の開口部を下にして通気部材に支持した状態、または容器の開口部を上にして通気部材で容器の開口部を覆った状態で使用する。
【００２６】
このとき容器内の保持媒体は、容器の開口部および通気部材の通気孔を通して大気と接触することになり、保持媒体に含まれる香料、防虫成分等の揮発成分はゲルの表面から大気中に揮散し、芳香剤、防虫剤などとしての機能を発揮する。保持媒体には、容器の開口部側から容器内壁に至らない深さで凹部が形成されて、大表面形状となっているため、大気との接触面積が大きくなり、揮散性物質を効率よく揮散させて大気中に放出させ、芳香の付与、消臭等の機能を長く維持することができる。複数の異なる面が組み合わされた多表面凹部を形成する場合は、大気との接触面積をさらに大きくして、揮散性物質の揮散効率をさらに高くすることができる。
【００２７】
また容器および保持媒体のゼラチン水性ゲルは透明であるため、揮散性物質放出器に当たる光線は、容器およびゲルを透過、屈折し、凹部において反射するため、優れた美観が得られ、照明との組合せにより、装飾機能が高くなる。複数の異なる面が組み合わされた多表面凹部からなる凹部を保持媒体に形成した場合は、複数の異なる面はダイヤカットの外観を呈し、光の反射面が多くなって、異なる方向の反射光の組み合わせにより装飾性がさらに高くなる。この場合、容器の開口部を下にした状態で使用する方が反射光を視認しやすくて装飾性が高いが、高い位置で使用する場合などには容器の開口部を上にした状態で使用しても高い装飾性が得られ、また低い位置で使用する場合などでも透明な通気部材を用いることにより高い装飾性を得ることができる。
【００２８】
無色透明ゼラチン水性ゲルの凹部側に、着色透明ゼラチン水性ゲルが積層された形状保持性ゼラチン水性ゲル成形体からなる保持媒体を用いる場合は、容器に充填された保持媒体は、外部から透視する際、見る角度により透明または着色透明の変化が見られ、装飾性がさらに高くなる。この場合、着色透明ゼラチン水性ゲル層を薄くしても、全体の着色観が得られ、高価な着色剤の使用量を少なくして装飾性を高くすることができる。
【００２９】
上記の保持媒体は形状保持性透明ゼラチン水性ゲル成形体からなるため、ゲル成形体の自重だけではゲル成形体が容器の開口部から流出することはなく、容器内に保持することができる。特に開口部が容器の最大径部より小径の容器に充填されている場合は、開口部側を底部として自立させて使用する際の保持媒体の保持性はさらに高くなる。また保持媒体は形状保持性が高いので、長期にわたって成形体の形状を保持することができ、揮発成分が揮散して体積が減少しても、形状が崩れることなく、ほぼ元の形状を保持したまま、相似形に体積が減少し、美観を損なうことがない。
【発明の効果】
【００３０】
本発明の揮散性物質放出器によれば、揮散性物質を保持する形状保持性透明ゼラチン水性ゲル成形体からなる保持媒体を透明な容器内に充填し、開口部側から容器内壁に至らない深さの凹部を保持媒体に形成し、シール部材を剥がして、容器の開口部を下にした状態で通気部材の通気孔を通して、揮散性物質を揮散させるようにしたため、容器内に充填された揮散性物質を含む保持媒体自体の流出を防止でき、保持媒体に含まれる芳香剤、消臭剤等の揮散性物質を効率よく揮散させて大気中に放出させ、芳香の付与、消臭等の機能を長く維持することができ、しかも装飾性に優れた揮散性物質放出器を提供することができる。
【発明を実施するための最良の形態】
【００３１】
以下、本発明の実施の形態を図面により説明する。図１は実施形態による揮散性物質放出器の使用前の状態を示し、（ａ）は（ｂ）のＡ−Ａ面で切断した垂直断面図、（ｂ）はシール部材および通気部材を取り去った下面図で、（ａ）のＢ−Ｂ方向に見た状態を示す。図２（ａ）は揮散性物質放出器の使用中の状態を示す図１（ｂ）のＡ−Ａ面で切断した端面図、（ｂ）は揮散性物質放出器の正面透視図である。
【００３２】
図１および２において、揮散性物質放出器１は、保持媒体２が透明な容器３に内に充填され、容器３の開口部１１側から容器３の底部９に至らない深さで凹部４が保持媒体２に形成されており、容器３の開口部１１はシール部材１２で密封され、通気部材１３が容器３の開口部１１に取り付けられている。保持媒体２は、揮散性物質を保持する形状保持性透明架橋ゼラチン水性ゲル成形体からなり、容器３に開口部１１側から隙間なく充填されて、容器３の内壁に密着した構造を有するが、開口部１１側の外表面５とシール部材１２との間に若干の隙間６が生じている。保持媒体２は、容器３の内壁に密着する無色透明ゼラチン水性ゲル層２ａの凹部４側に、薄層の着色透明ゼラチン水性ゲル層２ｂが積層されている。
【００３３】
容器３は、硬質透明プラスチックにより丸みを帯びたポット状に形成され、開口部１１が容器３の最大径部７より小径とされ、開口部１１の外周部には通気部材１３との係合部８が形成されている。凹部４は、複数の異なる面４ａ、４ｂ・・・が山状および谷状に組み合わされ、全体としてダイヤカットに類似したヒダ状（三角波板状）の壁が先端部で収斂した尖塔ドーム状の多表面凹部からなる。シール部材１２は、開口部１１に剥離可能に固着されている。通気部材１３は、周壁に通気孔１７を有し、容器３の開口部１１を下にした状態で容器３を支持するように、取り外し可能に取り付けられている。
【００３４】
上記の揮散性物質放出器１は、以下のようにして製造される。まず開口部１１を上にした容器３に、ゼラチン、架橋剤および揮発成分を含む水性ゾルを入れ、凹部４に対応した凸形状の凹部４形成用の成形型（図示省略）を開口部１１側から水性ゾル中に挿入した状態で反応させることにより、容器３に開口部１１側から隙間なく充填されて容器３の内壁に密着した構造を有し、開口部１１側に凹部４が形成されたゼリー強度１５以上の形状保持性透明ゼラチン水性ゲル成形体からなる保持媒体２を形成する。
【００３５】
反応終了後、成形型を開口部１１側から抜き取ると、その図１（ｂ）に示すように、保持媒体２の外表面５から容器３の内壁に至らない凹部４が露出する。この状態で容器３の開口部１１をシール部材１２で密封し、通気部材１３と組み合わせることにより、揮散性物質放出器１が製造される。揮散性物質放出器１は、開口部１１を上にした状態（図１、２の上下逆の状態）で、製品として運搬、保管するのが好ましいが、図１、２の状態で行ってもよい。通気部材１３は、容器３の開口部１１に取り付けた状態で製品としてもよく、また取り付けない状態で製品としてもよい。
【００３６】
上記の揮散性物質放出器１は、図１、２に示すように開口部１１を下にして通気部材１３に支持した状態で使用する。すなわち図１（ａ）の状態から、容器３のシール部材１２を引き剥がし、容器３の開口部１１を下にして通気部材１３に支持した状態で使用する。このときの状態は、図１（ａ）のシール部材１２を除去した状態であり、その図１（ｂ）におけるＡ−Ａ面切断端面図は図２（ａ）に示され、また使用中の観察者が視認する外観を示す正面透視図は図２（ｂ）に示される。
【００３７】
揮散性物質放出器１の使用状態では、容器３内の保持媒体２は、容器３の開口部１１および通気部材１３の通気孔１７を通して大気と接触することになり、保持媒体２に含まれる香料、防虫成分等の揮発成分は、保持媒体２の外表面５および凹部４の表面から大気中に揮散し、芳香剤、防虫剤などとしての機能を発揮する。保持媒体２は、凹部４の形成により大表面形状となっているため、大気との接触面積が大きくなり、揮散性物質を効率よく揮散させて大気中に放出させ、芳香の付与、消臭等の機能を長く維持することができる。凹部４は複数の異なる面４ａ、４ｂ・・・が組み合わされた多表面凹部を形成することにより、単純表面の凹部の場合よりも大気との接触面積がさらに大きくなり、揮散性物質の揮散効率はさらに高くなる。
【００３８】
また容器３および保持媒体２のゼラチン水性ゲルは透明であるため、図２（ｂ）に示すように、揮散性物質放出器１に当たる光線は、容器３および保持媒体２を透過、屈折し、凹部４において反射するため、優れた美観が得られ、照明との組合せにより、装飾機能が高くなる。複数の異なる面４ａ、４ｂ・・・が組み合わされた多表面凹部からなる凹部４を保持媒体２に形成することにより、複数の異なる面４ａ、４ｂ・・・はダイヤカットの外観を呈し、光の反射面が多くなって、異なる方向の反射光の組み合わせにより装飾性がさらに高くなる。
【００３９】
また保持媒体２として、無色透明ゼラチン水性ゲル層２ａの凹部４側に、薄層の着色透明ゼラチン水性ゲル層２ｂが積層された形状保持性ゼラチン水性ゲル成形体からなる保持媒体２を用いることにより、容器３に充填された保持媒体２は、外部から透視する際、見る角度により無色透明に見えたり、また着色透明に見えたりし、外観、色彩、立体感等の変化が見られ、高い装飾性が得られる。
【００４０】
上記の保持媒体２は、形状保持性透明ゼラチン水性ゲル成形体からなるため、保持媒体２の自重だけで容器３の開口部１１から流出することはなく、容器３内に保持される。特に開口部１１が容器３の最大径部７より小径の容器３に充填することにより、開口部１１側を底部として自立させて使用する際の保持媒体２の保持性はさらに高くなる。また保持媒体２は形状保持性が高いので、長期にわたって成形体の形状を保持することができ、揮発成分が揮散して体積が減少しても、形状が崩れることなく、ほぼ元の形状を保持したまま、相似形に体積が減少し、美観を損なうことがない。この場合、低分子量ゼラチンを含むゼラチン混合物の架橋ゲルは剥離性が高いので、このような剥離性の架橋ゲルからなる保持媒体２は容器３から剥離して収縮して、保持媒体２の形状、位置等が変化し、動的な装飾性が得られる。保持媒体２が収縮して視界から消えるのを防ぐために、開口部１１に網状の通気性支持部材を設けることもできる。
【００４１】
図１および図２の透明な容器３内に、ゼラチン混合物として分子量１００，０００以上、５００，０００未満の高分子量ゼラチン２重量部、分子量３，０００以上、１０，０００未満の低分子量ゼラチン０．１３重量部、および分子量１０，０００以上、１００，０００未満の中分子量ゼラチン０．３７重量部、架橋剤としてイソブテン−無水マレイン酸共重合体を開環させ水酸化ナトリウム塩としたもの（平均分子量３，０００〜３，０００，０００）０．７４重量部、揮発成分として香料３重量部、界面活性剤６．５０重量部、水８７．２６重量部を入れ、凹部４形成用の成形型を上から挿入した状態で反応させてゲル化させ、成形型を離型することにより、揮散性物質を保持する形状保持性透明ゼラチン水性ゲル成形体からなる保持媒体２を充填した揮散性物質放出器１を製造した。
【００４２】
上記の揮散性物質放出器１は、容器３内に充填された揮散性物質を含む保持媒体２自体の流出を防止でき、保持媒体２に含まれる芳香剤、消臭剤等の揮散性物質を効率よく揮散させて大気中に放出させ、芳香の付与、消臭等の機能を長く維持することができ、しかも装飾性に優れた揮散性物質放出器である。
【００４３】
図３は他の実施形態による揮散性物質放出器の使用前の状態を示し、（ａ）は揮散性物質放出器の一部を切り欠いた平面図、（ｂ）はそのＣ−Ｃ面で切断した垂直断面図である。この実施形態の揮散性物質放出器１は、容器３の開口部１１を上にした状態で使用するものである。凹部４は花弁状ないしミカンの果実状に形成され、複数の異なる溝状の凹面４ａ、４ｂ・・・が山状および谷状に組み合わされた多表面凹部からなる。通気部材１３は透明材料からなり、上壁に通気孔１７を有し、容器３の開口部１１を上にした状態で開口部１１を覆うように、容器３に取り外し可能に取り付けられている。他の構成は図１および図２と同様である。
【００４４】
上記の揮散性物質放出器１は、図３に示すように開口部１１を上にして通気部材１３で開口部１１を覆う状態で使用する。すなわち図３の状態から、容器３のシール部材１２を引き剥がし、容器３の開口部１１を上にして通気部材１３で開口部１１を覆う状態で使用する。他の操作および効果は図１および図２と同様である。
【産業上の利用可能性】
【００４５】
トイレット用等に設置して、芳香剤、消臭剤、抗菌剤等の揮散性物質を徐々に放出するための揮散性物質放出器として使用される。
【図面の簡単な説明】
【００４６】
【図１】実施形態による揮散性物質放出器の使用前の状態を示し、（ａ）は（ｂ）のＡ−Ａ面で切断した垂直断面図、（ｂ）はシール部材および通気部材を取り去った下面図で、（ａ）のＢ−Ｂ方向に見た状態を示す。
【図２】（ａ）は揮散性物質放出器の使用中の状態を示す図１（ｂ）のＡ−Ａ面で切断した端面図、（ｂ）は揮散性物質放出器の正面透視図である。
【図３】（ａ）は揮散性物質放出器の一部を切り欠いた平面図、（ｂ）はそのＣ−Ｃ面で切断した垂直断面図である。
【図４】特許文献１に示された従来の揮散性物質放出器を示し、（ａ）は使用前、（ｂ）は使用中の状態を示す断面図である。
【符号の説明】
【００４７】
１ 揮散性物質放出器
２  保持媒体
２ａ  無色透明ゼラチン水性ゲル層
２ｂ  着色透明ゼラチン水性ゲル層
３  容器
３ａ  首部
４  凹部
４ａ、４ｂ・・・  面
５  外表面
６  隙間
７  最大径部
８  係合部
９  底部
１１  開口部
１２  シール部材
１２ａ  引張り部
１３  通気部材
１７  通気孔
【図１】
2006239000.tif 000003
【図２】
2006239000.tif 000004
【図３】
2006239000.tif 000005
【図４】
2006239000.tif 000006